(57)【要約】【課題】ユーザが手動で最大の輝度になるようにバックライトの輝度を調整した場合にも、バックライトの総発光時間に応じてバックライトの輝度を明るくするように調整することが可能な表示装置およびテレビジョン装置を提供する。【解決手段】この液晶テレビジョン装置１００（表示装置およびテレビジョン装置）は、バックライト９ｂを含む液晶表示部９と、バックライト９ｂの総発光時間に応じてバックライト９ｂの輝度を明るくするように調整する輝度調整部１１ｂと、バックライト９ｂの総発光時間に応じて、ユーザによって調整可能なバックライト９ｂの輝度の調整範囲を変更するための輝度調整用テーブル１０ａとを備えている。【選択図】図１
2009015183.tif 000002
【特許請求の範囲】
【請求項１】
バックライトを含む表示部と、
前記バックライトの総発光時間に応じて、前記バックライトの輝度を明るくするように調整するバックライト輝度調整手段と、
前記バックライトの総発光時間に応じて、ユーザによって調整可能な前記バックライトの輝度の調整範囲を変更するバックライト輝度調整制限手段とを備えた、表示装置。
【請求項２】
前記バックライト輝度調整制限手段は、ユーザによって調整可能な最大の輝度を前記バックライトが照射可能な上限の輝度よりも小さくなるように前記輝度の調整範囲を変更するように構成されている、請求項１に記載の表示装置。
【請求項３】
前記バックライト輝度調整手段は、前記バックライトの総発光時間に応じて、前記バックライトの輝度を段階的に明るくするように調整するように構成されている、請求項１または２に記載の表示装置。
【請求項４】
前記バックライトの総発光時間を計測するバックライト総発光時間計測部と、
前記バックライトの所定の総発光時間に対応する前記バックライトの輝度の段階的な調整値の情報を含む輝度調整用テーブルを記憶する記憶部とをさらに備え、
前記バックライト輝度調整手段は、前記バックライト総発光時間計測部によって計測される前記バックライトの総発光時間および前記輝度調整用テーブルに基づいて前記バックライトの輝度を段階的に明るくするように調整するように構成されている、請求項３に記載の表示装置。
【請求項５】
前記バックライト輝度調整手段は、前記バックライトの最大輝度が所定の輝度以下にならないように前記バックライトの輝度を調整するように構成されている、請求項１〜４のいずれか１項に記載の表示装置。
【請求項６】
前記表示部は、前記バックライトの現在の輝度をユーザに知らせるための輝度表示画面を表示するように構成され、
前記バックライト輝度調整制限手段が、ユーザによる前記バックライトの輝度の調整可能な範囲を変更した場合にも、前記輝度の調整可能な範囲の変更を前記輝度表示画面には表示せずに、前記バックライトの輝度の調整可能な範囲を変更していない場合と同じ状態で、前記表示部が前記輝度表示画面を表示するように構成されている、請求項１〜５のいずれか１項に記載の表示装置。
【請求項７】
放送信号を受信する受信部と、
前記受信部により受信した放送信号に対応する映像を表示するとともに、バックライトを含む表示部と、
前記バックライトの総発光時間に応じて、前記バックライトの輝度を明るくするように調整するバックライト輝度調整手段と、
前記バックライトの総発光時間に応じて、ユーザによって調整可能な前記バックライトの輝度の調整範囲を変更するバックライト輝度調整制限手段とを備えた、テレビジョン装置。
【発明の詳細な説明】
【技術分野】
【０００１】
この発明は、表示装置およびテレビジョン装置に関し、特に、バックライトの輝度を調整することが可能な表示装置およびテレビジョン装置に関する。
【背景技術】
【０００２】
従来、バックライトの輝度を調整することが可能な液晶テレビジョン装置などの表示装置が知られている（たとえば、特許文献１参照）。
【０００３】
上記特許文献１には、バックライトを含む液晶パネル（表示部）と、バックライトに供給する電圧を調整する制御部（バックライト輝度調整手段）とを備えた液晶表示装置が開示されている。この特許文献１による液晶表示装置では、バックライトの使用経過時間（総発光時間）に応じてバックライトに供給する電圧を調整することによって、バックライトの使用経過時間に応じてバックライトの明るさ（輝度）を明るくするように自動的に調整することが可能なように構成されている。
【０００４】
【特許文献１】特開平６−１６７６９５号公報
【発明の開示】
【発明が解決しようとする課題】
【０００５】
しかしながら、上記特許文献１に記載の液晶表示装置では、バックライトの使用経過時間に応じてバックライトの明るさを明るくするように自動的に調整することが可能である一方で、ユーザが手動でバックライトの明るさを最大になるように調整した場合には、それ以上バックライトの明るさを明るくするように調整することができない。したがって、この特許文献１による液晶表示装置では、ユーザがバックライトの明るさを最大になるように調整した場合には、バックライトの使用経過時間に応じてバックライトの明るさを明るくするように調整することができないという問題点がある。
【０００６】
この発明は、上記のような課題を解決するためになされたものであり、この発明の１つの目的は、ユーザが手動で最大の輝度になるようにバックライトの輝度を調整した場合にも、バックライトの総発光時間に応じてバックライトの輝度を明るくするように調整することが可能な表示装置およびテレビジョン装置を提供することである。
【課題を解決するための手段および発明の効果】
【０００７】
この発明の第１の局面による表示装置は、バックライトを含む表示部と、バックライトの総発光時間に応じてバックライトの輝度を明るくするように調整するバックライト輝度調整手段と、バックライトの総発光時間に応じて、ユーザによって調整可能なバックライトの輝度の調整範囲を変更するバックライト輝度調整制限手段とを備えている。
【０００８】
この第１の局面による表示装置では、上記のように、バックライトの総発光時間に応じてバックライトの輝度を明るくするように調整するバックライト輝度調整手段と、バックライトの総発光時間に応じて、ユーザによって調整可能なバックライトの輝度の調整範囲を変更するバックライト輝度調整制限手段とを設けることによって、バックライトの総発光時間に応じてバックライトの輝度が調整された場合に、その調整に応じて、バックライト輝度調整制限手段により、ユーザが手動で調整可能な最大の輝度が、バックライトが照射可能な上限の輝度よりも小さくなるように調整範囲を変更するようにすれば、ユーザが手動でバックライトの輝度を最大の輝度になるように調整した場合にも、バックライト輝度調整手段は、バックライトが照射することができる上限の輝度までさらに明るくするように調整することができる。したがって、この表示装置では、ユーザが手動で最大の輝度になるようにバックライトの輝度を調整した場合にも、バックライトの総発光時間に応じてバックライトの輝度を明るくするように調整することができる。
【０００９】
上記第１の局面による表示装置において、好ましくは、バックライト輝度調整制限手段は、ユーザによって調整可能な最大の輝度をバックライトが照射可能な上限の輝度よりも小さくなるように輝度の調整範囲を変更するように構成されている。このように構成すれば、バックライトの総発光時間に応じてバックライトの輝度が調整された場合にも、その調整に応じて、バックライト輝度調整制限手段により、ユーザが手動で調整可能な最大の輝度が、バックライトが照射可能な上限の輝度よりも小さくなるように変更されるので、ユーザが手動でバックライトの輝度を最大の輝度になるように調整した場合にも、バックライト輝度調整手段は、バックライトが照射することができる上限の輝度までさらに明るくするように調整することができる。
【００１０】
上記第１の局面による表示装置において、好ましくは、バックライト輝度調整手段は、バックライトの総発光時間に応じて、バックライトの輝度を段階的に明るくするように調整するように構成されている。このように構成すれば、バックライト輝度調整手段が、バックライトの総発光時間が増加するのに伴ってバックライトの輝度が徐々に低下するのを、段階的に抑制することができる。
【００１１】
この場合、好ましくは、バックライトの総発光時間を計測するバックライト総発光時間計測部と、バックライトの所定の総発光時間に対応するバックライトの輝度の段階的な調整値の情報を含む輝度調整用テーブルを記憶する記憶部とをさらに備え、バックライト輝度調整手段は、バックライト総発光時間計測部によって計測されるバックライトの総発光時間および輝度調整用テーブルに基づいてバックライトの輝度を段階的に明るくするように調整するように構成されている。このように構成すれば、バックライト輝度調整手段は、バックライトが発光した時間の合計が輝度調整用テーブルに含まれる所定の総発光時間に到達した場合に、バックライトの輝度を容易に段階的に調整することができる。
【００１２】
上記第１の局面による表示装置において、好ましくは、バックライト輝度調整手段は、バックライトの最大輝度が所定の輝度以下にならないようにバックライトの輝度を調整するように構成されている。このように構成すれば、総発光時間の増加に応じてバックライトの輝度が低下した場合にも、バックライトの輝度を所定の輝度以上になるように調整することができる。
【００１３】
上記第１の局面による表示装置において、好ましくは、表示部は、バックライトの現在の輝度をユーザに知らせるための輝度表示画面を表示するように構成され、バックライト輝度調整制限手段が、ユーザによるバックライトの輝度の調整可能な範囲を変更した場合にも、輝度の調整可能な範囲の変更を輝度表示画面には表示せずに、バックライトの輝度の調整可能な範囲を変更していない場合と同じ状態で、表示部が輝度表示画面を表示するように構成されている。このように構成すれば、バックライト輝度調整手段によってバックライトの輝度の調整可能な範囲が変更されたか否かにかかわらず、表示部には同様の輝度表示画面が表示されるので、ユーザに気づかれることなく、ユーザによるバックライトの輝度の調整可能な範囲を変更することができる。
【００１４】
この発明の第２の局面によるテレビジョン装置は、放送信号を受信する受信部と、受信部により受信した放送信号に対応する映像を表示するとともに、バックライトを含む表示部と、バックライトの総発光時間に応じて、バックライトの輝度を明るくするように調整するバックライト輝度調整手段と、バックライトの総発光時間に応じて、ユーザによって調整可能なバックライトの輝度の調整範囲を変更するバックライト輝度調整制限手段とを備えている。
【００１５】
この第２の局面によるテレビジョン装置では、上記のように、バックライトを含む表示部と、バックライトの総発光時間に応じて、バックライトの輝度を明るくするように調整するバックライト輝度調整手段と、バックライトの総発光時間に応じて、ユーザによって調整可能なバックライトの輝度の調整範囲を変更するバックライト輝度調整制限手段とを設けることによって、バックライトの総発光時間に応じてバックライトの輝度が調整された場合に、その調整に応じて、バックライト輝度調整制限手段により、ユーザが手動で調整可能な最大の輝度が、バックライトが照射可能な上限の輝度よりも小さくなるように調整範囲を変更するようにすれば、ユーザが手動でバックライトの輝度を最大の輝度になるように調整した場合にも、バックライト輝度調整手段は、バックライトが照射することができる上限の輝度までさらに明るくするように調整することができる。したがって、このテレビジョン装置では、ユーザが手動で最大の輝度になるようにバックライトの輝度を調整した場合にも、バックライトの総発光時間に応じてバックライトの輝度を明るくするように調整することができる。
【発明を実施するための最良の形態】
【００１６】
以下、本発明を具体化した実施形態を図面に基づいて説明する。
【００１７】
図１は、本発明の一実施形態による液晶テレビジョン装置の構成を説明するためのブロック図である。図２は、図１に示した本発明の一実施形態による液晶テレビジョン装置のバックライトの寿命特性を示した図である。図３〜図６は、図１に示した本発明の一実施形態による液晶テレビジョン装置の詳細な構成を説明するための図である。まず、図１〜図６を参照して、本発明の一実施形態による液晶テレビジョン装置１００の構成について説明する。なお、本実施形態では、表示装置およびテレビジョン装置の一例である液晶テレビジョン装置に本発明を適用した場合について説明する。
【００１８】
本発明の一実施形態による液晶テレビジョン装置１００は、図１に示すように、テレビアンテナ２０を介してデジタルテレビジョン信号およびアナログテレビジョン信号を受信するテレビ受信部１と、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格およびＤＶＩ−Ｄ（Ｄｉｇｉｔａｌ  Ｖｉｓｕａｌ  Ｉｎｔｅｒｆａｃｅ  Ｄｉｇｉｔａｌ）規格に対応するとともに、デジタル外部機器３０からデジタル信号を受信するデジタル信号受信部２と、コンポーネント接続、コンポジット接続およびＰＣ入力インターフェースに対応するとともに、アナログ外部機器４０からアナログ信号を受信するアナログ信号受信部３とを備えている。
【００１９】
また、液晶テレビジョン装置１００は、テレビ受信部１が受信するデジタルテレビジョン信号およびアナログテレビジョン信号のうちのいずれか１つを選択するＡ／Ｄセレクタ４と、Ａ／Ｄセレクタ４によって選択されたデジタルテレビジョン信号をデコード（復号）するＡＶデコーダ５と、アナログテレビジョン信号をＹ／Ｃ分離する３次元Ｙ／Ｃ分離回路部６とをさらに備えている。
【００２０】
また、液晶テレビジョン装置１００は、デジタル信号受信部２、アナログ信号受信部３、ＡＶデコーダ５および３次元Ｙ／Ｃ分離回路部６から伝達される信号に基づく映像データのうちのいずれか１つを選択するＡＶセレクタ７と、ＡＶセレクタ７によって選択された映像データの処理を行う映像処理部８と、映像処理が行われた映像データに基づいて映像を表示する液晶表示部９と、メモリ１０と、液晶テレビジョン装置１００の全体を制御する制御部１１とをさらに備えている。また、各構成要素は、バス（伝送路）１２を介して互いに接続されることによって、制御信号および制御上のデータを互いに通信することが可能なように構成されている。なお、液晶表示部９は、本発明の「表示部」の一例であり、メモリ１０は、本発明の「記憶部」の一例である。
【００２１】
テレビ受信部１は、デジタルテレビジョン信号については、高周波デジタル変調信号のうちから任意に選択された周波数のデジタル変調信号を取り出すとともに、選択されたデジタル変調信号を復調してＡ／Ｄセレクタ４に出力するように構成されている。また、テレビ受信部１は、アナログテレビジョン信号については、選択された周波数の放送信号波を復調してＡ／Ｄセレクタ４に出力するように構成されている。
【００２２】
アナログ信号受信部３は、Ａ／Ｄ変換処理（アナログ／デジタル変換処理）を行うとともに、コンポジット接続により受信した信号については、Ｙ／Ｃ分離を行うように構成されている。
【００２３】
映像処理部８は、ＡＶセレクタ７によって選択された映像データに基づいて、液晶表示部９に表示する映像のサイズを調整するとともに、デフォルトまたはユーザによる設定に基づいて映像の色合いなどの画質調整を行うように構成されている。また、映像処理部８は、ＡＶセレクタ７によって選択されたＹＣｂＣｒ形式のデジタル映像データを液晶表示部９で表示可能なようにＲＧＢ形式のデジタル映像データに変換するように構成されている。
【００２４】
液晶表示部９は、映像を表示する液晶パネル９ａと、液晶パネル９ａを背面側から照射するバックライト９ｂとを含んでいる。液晶表示部９は、バックライト９ｂからの光が液晶パネル９ａに含まれる液晶材料（図示せず）およびカラーフィルタ（図示せず）を透過することによって、映像が表示される構成である。
【００２５】
ここで、本実施形態では、図２に示すように、バックライト９ｂは、発光した時間の合計である総発光時間の増加に伴って、明るさが徐々に低下していく寿命特性を有している。バックライト９ｂの総発光時間は、制御部１１に含まれるバックライト総発光時間計測部１１ａ（図１参照）によって計測される。また、バックライト９ｂは、印加される電圧が制御部１１の輝度調整部１１ｂ（図１参照）により変化されることによって、照射する輝度が変化されるように構成されている。バックライト９ｂの輝度は、ユーザの手動により変化されるとともに、輝度調整部１１ｂによって、バックライト９ｂの総発光時間および後述する輝度調整用テーブル１０ａに基づいて自動的に変化される。なお、輝度調整部１１ｂは、本発明の「バックライト輝度調整手段」の一例である。
【００２６】
また、本実施形態では、メモリ１０には、バックライト９ｂの輝度をバックライト９ｂの総発光時間に応じて調整するための輝度調整用テーブル１０ａが格納されている。輝度調整用テーブル１０ａには、図３に示すように、バックライト９ｂの総発光時間に対応するバックライト９ｂの輝度の調整値および最大輝度の情報が含まれている。ここで、バックライト９ｂの輝度の調整値とは、バックライト９ｂの輝度が低下する前の状態において本来バックライト９ｂが照射することができる上限の輝度に対して、総発光時間に応じて輝度調整部１１ｂにより調整されるバックライト９ｂの輝度の変化量を百分率（パーセンテージ）で表したものである。また、最大輝度とは、バックライト９ｂの輝度が低下する前の状態において本来バックライト９ｂが照射することができる上限の輝度に対して、ユーザが手動で調整することができるバックライト９ｂの輝度の最大値を百分率で表したものである。なお、輝度調整用テーブル１０ａは、本発明の「バックライト輝度調整制限手段」の一例である。次に、輝度調整用テーブル１０ａについて具体的に説明する。
【００２７】
図３に示すように、バックライト９ｂの総発光時間がｔ１に到達するまでは、バックライト９ｂの輝度の調整値は０％であるので、輝度調整部１１ｂによるバックライト９ｂの輝度の調整は行われない。この際、最大輝度は８０％であるので、ユーザは、バックライト９ｂの上限の輝度に対して最大８０％の輝度までしか調整することができないように制限される。より具体的には、バックライト９ｂの上限の輝度に対して８０％の輝度になるようにバックライト９ｂに印加される電圧の大きさまでしか、ユーザは電圧を調整することができないように、輝度調整部１１ｂが輝度調整用テーブル１０ａに基づいて制限するように構成されている。また、バックライト９ｂの総発光時間がｔ１を経過した場合には、バックライト９ｂの輝度の調整値は５％であるので、輝度調整部１１ｂによってバックライト９ｂの輝度が、バックライト９ｂの上限の輝度の５％分だけさらに明るくなるように調整される。より具体的には、バックライト９ｂの輝度の調整時において、実際にバックライト９ｂが照射している輝度の大きさにかかわらず、バックライト９ｂの上限の輝度の５％分だけさらに明るくなるようにバックライト９ｂの輝度を調整するように輝度調整部１１ｂによってバックライト９ｂに印加される電圧が変化される。また、この際、最大輝度は８５％であるので、上記同様に、ユーザはバックライト９ｂの上限の輝度に対して最大８５％までしか調整することができないように制限される。また、バックライト９ｂの総発光時間がｔ２、ｔ３およびｔ４を経過した場合にも、上記同様に、輝度調整部１１ｂによってバックライト９ｂの輝度の調整が行われるとともに、ユーザが調整することができるバックライト９ｂの輝度の最大値が変更される。したがって、この液晶テレビジョン装置１００では、バックライト９ｂの総発光時間に応じて、バックライト９ｂの輝度が段階的に明るくなるように輝度調整部１１ｂによって調整されるとともに、バックライト９ｂの総発光時間に応じて、ユーザによって調整可能なバックライト９ｂの輝度の調整範囲が変更される。これにより、液晶テレビジョン装置１００では、バックライト９ｂの輝度が低下しているにもかかわらず、バックライト９ｂの輝度が低下していないようにユーザに見せかけることが可能である。
【００２８】
バックライト９ｂの輝度の調整が行われる総発光時間ｔ１は、図４に示すように、バックライト９ｂの上限の輝度に対して８０％の輝度になるようにバックライト９ｂに一定の電圧が印加されている状態において、バックライト９ｂの輝度が所定の輝度αまで低下したときの総発光時間である。また、総発光時間ｔ２は、バックライト９ｂの上限の輝度に対して８０％の輝度になるように一定の電圧が印加された状態で総発光時間がｔ１に到達した際に、バックライト９ｂに印加される電圧がバックライト９ｂの上限の輝度に対して８０％から８５％の輝度になるようにバックライト９ｂに印加される電圧が調整される。そして、その調整された電圧が一定に印加されている状態において、バックライト９ｂの輝度が所定の輝度αまで低下した際の総発光時間である。総発光時間ｔ３およびｔ４は、上記同様に、それぞれバックライト９ｂの上限の輝度に対して９０％および９５％の輝度になるように一定の電圧が印加されている状態において、それぞれ所定の輝度αまで低下した際の総発光時間である。したがって、バックライト９ｂの上限の輝度に対して８０％の輝度を最大輝度の初期値にするとともに、８５％、９０％、９５％および１００％をそれぞれ総発光時間ｔ１、ｔ２、ｔ３およびｔ４経過後の最大輝度にすることによって、輝度調整部１１ｂはバックライト９ｂの最大輝度が所定の輝度α（たとえば７０％）以下にならないようにバックライト９ｂの輝度を調整する。これにより、総発光時間の増加に応じてバックライト９ｂの輝度が低下した場合にも、バックライト９ｂの輝度を所定の輝度α以上になるように調整することが可能である。
【００２９】
また、上記のように、最大輝度の初期値を８０％にし、所定の総発光時間ｔ１、ｔ２、ｔ３およびｔ４において段階的に最大輝度を調整する構成において、たとえば、ユーザが手動でバックライト９ｂの上限の輝度に対して６５％の輝度になるように設定していた場合、図５に示すように、総発光時間がｔ１を経過するまでは、ユーザは最大輝度８０％までの差１５％分だけさらに明るくなるようにバックライト９ｂの輝度を手動で調整することが可能である。総発光時間がｔ１を経過すると、バックライト９ｂの輝度が低下するのを抑制するように、バックライト９ｂの上限の輝度の５％分だけさらに明るくなるように輝度調整部１１ｂによって輝度が調整され、その結果、６５％に設定されていた輝度が７０％に変更されるとともに、ユーザが調整可能な最大輝度が８５％に変更される。また、総発光時間がｔ２、ｔ３およびｔ４を経過する場合も同様に、バックライトの輝度が低下するのを抑制するように、輝度調整部１１ｂによって輝度が調整されるとともに、最大輝度も変更される。
【００３０】
また、本実施形態では、制御部１１は、バックライト９ｂの現在の輝度の状態をユーザに知らせるために、図６に示すように、ブライトネス表示画面９ｃを表示するように液晶表示部９を制御するように構成されている。総発光時間ｔ１を経過後に段階的に最大輝度が変更され、ユーザが調整することが可能な輝度の調整範囲が変更された場合であっても、このブライトネス表示画面９ｃは、輝度の調整範囲が変更されていない場合と同様に表示される。これにより、ユーザに気づかれることなく、ユーザによるバックライト９ｂの輝度の調整可能な範囲を変更することが可能である。なお、ブライトネス表示画面９ｃは、本発明の「輝度表示画面」の一例である。
【００３１】
図７は、図１に示した本発明の一実施形態による液晶テレビジョン装置の輝度調整部が自動的に輝度調整を行う際の動作を説明するためのフローチャートである。次に、図１、図３〜図５および図７を参照して、本発明の一実施形態による液晶テレビジョン装置１００の輝度調整動作について説明する。
【００３２】
まず、ステップＳ１において、バックライト９ｂが発光されているか否かが判断され、発光していない場合には、この判断が繰り返される。バックライト９ｂが発光している場合には、ステップＳ２において、バックライト総発光時間が制御部１１のバックライト総発光時間計測部１１ａ（図１参照）によって計測される。そして、ステップＳ３において、総発光時間が所定の時間ｔ１、ｔ２、ｔ３およびｔ４（図３〜図５参照）のいずれかの時間を経過したか否かが判断され、経過していない場合には、この判断が繰り返される。一方、計測中の総発光時間がいずれかの時間を経過した場合には、ステップＳ４において、輝度調整部１１ｂ（図１参照）によって、メモリ１０に記憶された輝度調整用テーブル１０ａ（図１参照）に基づいてバックライト９ｂの輝度が明るくなるように調整されるとともに、ユーザが調整することが可能な調整範囲が変更される。調整後、ステップＳ５において、計測中の総発光時間がバックライト９ｂの輝度が調整される最終時間ｔ４を経過したか否かが判断され、経過していない場合には、ステップＳ３に移行される。総発光時間が最終時間ｔ４を経過した場合には、これ以降、バックライト９ｂの輝度は輝度調整部１１ｂによって自動的に調整されないので、輝度調整動作は終了される。
【００３３】
本実施形態では、上記のように、バックライト９ｂの総発光時間に応じてバックライト９ｂの輝度を明るくするように調整する輝度調整部１１ｂと、バックライト９ｂの総発光時間に応じて、ユーザが手動で調整可能な最大の輝度が、バックライト９ｂが照射可能な上限の輝度よりも小さくなるように調整範囲を変更するための輝度調整用テーブル１０ａとを設けることによって、バックライト９ｂの総発光時間に応じてバックライト９ｂの輝度が調整された場合にも、その調整に応じて、ユーザが手動で調整可能な最大の輝度が、バックライト９ｂが照射可能な上限の輝度よりも小さくなるように調整範囲を変更することができる。これにより、ユーザが手動でバックライト９ｂの輝度を最大の輝度になるように調整した場合にも、輝度調整部１１ｂは、バックライト９ｂが照射することができる上限の輝度までさらに明るくするように調整することができる。したがって、この液晶テレビジョン装置１００では、ユーザが手動で最大の輝度になるようにバックライト９ｂの輝度を調整した場合にも、バックライト９ｂの総発光時間に応じてバックライト９ｂの輝度を明るくするように調整することができる。
【００３４】
また、本実施形態では、輝度調整部１１ｂを、バックライト９ｂの総発光時間に応じて、バックライト９ｂの輝度を段階的に明るくするように調整するように構成することによって、輝度調整部１１ｂが、バックライト９ｂの総発光時間が増加するのに伴ってバックライト９ｂの輝度が徐々に低下するのを、段階的に抑制することができる。
【００３５】
また、本実施形態では、バックライト９ｂの総発光時間を計測するバックライト総発光時間計測部１１ａと、バックライト９ｂの所定の総発光時間に対応するバックライト９ｂの輝度の段階的な調整値の情報を含む輝度調整用テーブル１０ａを記憶するメモリ１０とを設け、輝度調整部１１ｂを、バックライト総発光時間計測部１１ａによって計測されるバックライト９ｂの総発光時間および輝度調整用テーブル１０ａに基づいてバックライト９ｂの輝度を段階的に明るくするように調整するように構成することによって、輝度調整部１１ｂは、バックライト９ｂが発光した時間の合計が輝度調整用テーブル１０ａに含まれる所定の総発光時間に到達した場合に、バックライト９ｂの輝度を容易に段階的に調整することができる。
【００３６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３７】
たとえば、上記実施形態では、表示装置およびテレビジョン装置の一例として液晶テレビジョン装置を示したが、本発明はこれに限らず、バックライトを備えた表示装置およびテレビジョン装置であれば、液晶テレビジョン装置以外の他の表示装置およびテレビジョン装置にも適用可能である。
【００３８】
また、上記実施形態では、ユーザが調整可能な最大輝度を、バックライトの総発光時間に応じて、５％ずつ明るくなるように調整する構成を示したが、本発明はこれに限らず、５％よりも小さい値で調整するようにしてもよいし、大きい値で調整するようにしてもよい。
【００３９】
また、上記実施形態では、バックライトの総発光時間に応じて、バックライトの輝度を段階的に明るくするように調整する構成を示したが、本発明はこれに限らず、バックライトの総発光時間に応じて、バックライトの輝度を連続的に明るくするように調整してもよい。
【００４０】
また、上記実施形態では、ユーザが調整することができる最大輝度が、所定の輝度以下にならないように、総発光時間が予め設定された特定の時間であるｔ１、ｔ２、ｔ３およびｔ４を経過した場合に、輝度の調整を行う構成としたが、本発明はこれに限らず、一定の時間間隔毎に輝度を調整する構成にしてもよい。
【図面の簡単な説明】
【００４１】
【図１】本発明の一実施形態による液晶テレビジョン装置の構成を説明するためのブロック図である。
【図２】図１に示した本発明の一実施形態による液晶テレビジョン装置のバックライトの寿命特性を示した図である。
【図３】図１に示した本発明の一実施形態による液晶テレビジョン装置の輝度調整用テーブルを示した図である。
【図４】図１に示した本発明の一実施形態による液晶テレビジョン装置のバックライトの総発光時間と最大輝度との関係を示した図である。
【図５】図１に示した本発明の一実施形態による液晶テレビジョン装置のバックライトの総発光時間と輝度との関係を示した図である。
【図６】図１に示した本発明の一実施形態による液晶テレビジョン装置のブライトネス表示画面を示した図である。
【図７】図１に示した本発明の一実施形態による液晶テレビジョン装置の輝度調整部が自動的に輝度調整を行う際の動作を説明するためのフローチャートである。
【符号の説明】
【００４２】
９        液晶表示部（表示部）
９ｂ      バックライト
９ｃ      ブライトネス表示画面（輝度表示画面）
１０      メモリ（記憶部）
１０ａ    輝度調整用テーブル（バックライト輝度調整制限手段）
１１ａ    バックライト総発光時間計測部
１１ｂ    輝度調整部（バックライト輝度調整手段）
１００    液晶テレビジョン装置（表示装置およびテレビジョン装置）
【図１】
2009015183.tif 000003
【図２】
2009015183.tif 000004
【図３】
2009015183.tif 000005
【図４】
2009015183.tif 000006
【図５】
2009015183.tif 000007
【図６】
2009015183.tif 000008
【図７】
2009015183.tif 000009